(57)【要約】【課題】多数枚の写真を体裁よく保存することができ、閲覧、その他、取扱いの容易なアルバムを提供する。【解決手段】写真保持台紙ユニット１ａ及び１ｂの箱形収納部２ａ及び２ｂが両端に配置され、該それぞれの箱形収納部２ａ及び２ｂの対向片３ａ及び３ｂが傾倒自在に構成され、該傾倒自在に構成されたそれぞれの対向片３ａ及び３ｂの内側面にそれぞれ前記写真保持台紙ユニット１ａ及び１ｂが取付けられ、さらに前記傾倒自在に構成されたそれぞれの対向片３ａ及び３ｂに前記それぞれの箱形収納部２ａ及び２ｂを覆う蓋片１０ａ及び１０ｂが折曲げ自在に連結され、さらに前記両蓋片１０ａ及び１０ｂ間が前記対向片３ａ（３ｂ）の二倍幅を有する連結片１１によって折曲げ自在に連結されてなり、好ましくは、前記それぞれの写真保持台紙ユニット１ａ及び１ｂが前記それぞれの対向片３ａ及び３ｂに対して着脱自在であり、また、前記それぞれの写真保持台紙ユニット１ａ及び１ｂを構成するそれぞれの写真保持台紙が透明フィルムポケット台紙７である。【選択図】　　　図１
2004136601.tif 000002
【特許請求の範囲】
【請求項１】
写真保持台紙ユニットの箱形収納部が両端に配置され、該それぞれの箱形収納部の対向片が傾倒自在に構成され、該傾倒自在に形成されたそれぞれの対向片の内側面にそれぞれ前記写真保持台紙ユニットが取付けられ、さらに前記傾倒自在に形成されたそれぞれの対向片に前記それぞれの箱形収納部を覆う蓋片が折曲げ自在に連結され、さらに前記両蓋片間が前記対向片の二倍幅を有する連結片によって折曲げ自在に連結されてなることを特徴とするアルバム。
【請求項２】
前記それぞれの写真保持台紙ユニットが前記それぞれの対向片に対して着脱自在であることを特徴とする請求項１に記載のアルバム。
【請求項３】
前記それぞれの写真保持台紙ユニットを構成するそれぞれの写真保持台紙が透明フィルムポケット台紙であることを特徴とする請求項１または２に記載のアルバム。
【請求項４】
前記それぞれの蓋片の内側面にポケットを形成したことを特徴とする請求項１，２または３に記載のアルバム。
【発明の詳細な説明】
【０００１】
【発明の属する技術分野】
本発明は、写真、はがき、その他の小紙片を保存するアルバムに関する。
【０００２】
【従来の技術】
写真アルバムとしては、旧来から提供されている厚紙台紙からなり、糊、コーナーにより写真を保持するもの、予め厚紙台紙に不乾性（感圧性）接着剤が塗布され、該接着剤の上面を剥離自在の透明フィルムで覆った、所謂フリー台紙からなるもの（例えば、実公昭５０−２０７４７号公報参照。）、その他、透明フィルムポケット台紙からなるもの（実公昭４９−１３５４１号公報参照）等が提案されている。
【０００３】
【特許文献】
実公昭５０−２０７４７号公報
【０００４】
【特許文献】
実公昭４９−１３５４１号公報
【０００５】
【発明が解決しようとする課題】
従来、提供されている写真アルバムは、表紙間に適数枚の台紙を綴じて構成され、閲覧、持ち運びなどの取扱い易さを考慮して台紙の枚数も制限されるものであった。したがって、一冊の写真アルバムで保存できる写真の枚数も十分ではなく、関連写真の分散、写真アルバムの冊数の増加、その格納場所等に苦慮するなどの問題があった。
【０００６】
本発明は、前記事情に鑑み、多数枚の写真を体裁よく保存することができ、閲覧、その他、取扱いが容易で、さらに良好な写真保存状態を保つことができるアルバムを提供することを目的とする。
【０００７】
【課題を解決するための手段】
請求項１に示す本発明のアルバムは、写真保持台紙ユニットの箱形収納部が両端に配置され、該それぞれの箱形収納部の対向片が傾倒自在に構成され、該傾倒自在に形成されたそれぞれの対向片の内側面にそれぞれ前記写真台紙ユニットが取付けられ、さらに前記傾倒自在に形成されたそれぞれの対向片に前記それぞれの箱形収納部を覆う蓋片が折曲げ自在に連結され、さらに前記両蓋片間が前記対向片の二倍幅を有する連結片によって折曲げ自在に連結されてなることを特徴とする。
【０００８】
前記請求項１に示すアルバムによれば、写真保持台紙ユニット及びその箱形収納部がそれぞれ二箇所に設けられているため、多数枚の写真を体裁よく保存することができる。
【０００９】
さらに前記写真保持台紙ユニットが収納される箱形収納部間が、傾倒自在の対向片、折曲げ自在の蓋片及び連結片によって構成されているため、全体をコンパクトに折畳むことができ、全体をコンパクトに折畳むと、前記それぞれの写真保持台紙ユニット全体が、前記箱形収納部に格納されて外部から内部への光、湿気等の進入が防止され、保存している写真の変色防止等、良好な写真保存状態が保たれるとともに、全体が大型辞典のごとく形成されて、体裁がよく、そのまま書架等に格納できる。
【００１０】
また、全体を横方向に展開すれば、全体が平面状に安定させられ、それぞれの写真保持台紙ユニットに保存された写真を容易に見ることができる。もっとも、一方の写真保持台紙ユニット部分だけを横方向に展開して、そこに保存された写真を見ることもできるし、また、全体を横方向に展開した場合には、両端に位置したそれぞれの写真保持台紙ユニットに保存された写真を二人で別々に見ることもできる。
【００１１】
請求項２に示す実施の一形態は、前記それぞれの写真保持台紙ユニットが前記それぞれの対向片に対して着脱自在であることを特徴とする請求項１に記載のアルバムである。この実施の一形態によれば、前記それぞれの写真保持台紙ユニットを、前記対向片のみならず、前記箱形収納部、蓋片及び連結片から全く分離した状態にして、前記それぞれの写真保持台紙ユニットに保存されている写真を見ることができる。
【００１２】
請求項３に示す実施の一形態は、前記それぞれの写真保持台紙ユニットを構成する写真保持台紙が透明フィルムポケット台紙であることを特徴とする請求項１または２に記載のアルバムである。この実施の一形態によれば、台紙の薄さが確保され、該台紙の綴じ込み枚数を増加することができ、また、強度及び耐久性が得られ、しかも軽量、製造も容易である効果が得られる。なお、前記透明フィルムポケットは、好ましくは、不透明の薄板の両側面にそれぞれ薄板透明フィルムを溶着して構成される。
【００１３】
請求項４に示す実施の一形態は、前記それぞれの蓋片の内側面にポケットを形成したことを特徴とする請求項１，２または３に記載のアルバムである。この実施の一形態によれば、前記ポケットを、例えば、ネガフィルムの収納部として利用できる。
【００１４】
【発明の実施の形態】
以下に、本発明の実施の一形態を図面に基づいて説明する。図１は、全体の展開状態を示す斜視図、図２は、写真保持台紙ユニットを取り外した状態を示す斜視図、図３は、片開きの状態を示す斜視図、図４は、完全折畳み状態を示す斜視図である。
【００１５】
写真保持台紙ユニット１ａ及び１ｂの箱形収納部２ａ及び２ｂが両端に配置される。さらに該それぞれの箱型収納部２ａ及び２ｂの対向片３ａ及び３ｂが傾倒自在に構成される。すなわち、該対向片３ａ及び３ｂが、前記箱形収納部２ａ及び２ｂを形成する他の各周囲片４ａ及び４ｂとは分離され、前記箱形収納部２ａ及び２ｂの底片５ａ及び５ｂに対して傾倒自在に構成される。
【００１６】
つぎに、前記傾倒自在に構成されたそれぞれの対向片３ａ及び３ｂの内側面に、それぞれ前記写真保持台紙ユニット１ａ及び１ｂが取付けられる。該写真保持台紙ユニット１ａ及び１ｂは、前記対向片３ａ（３ｂ）の幅と略同幅の基板６ａ及び６ｂの表面に多数枚の透明フィルムポケット台紙７ａ及び７ｂの一端が適宜の方法により固着されている。
【００１７】
なお、図面実施例では、前記それぞれの写真保持台紙ユニット１ａ及び１ｂが、前記それぞれの対向片３ａ及び３ｂに対して着脱自在に構成されている。すなわち、前記対向片３ａ及び３ｂの内側面と、写真保持台紙ユニット１ａ及び１ｂを構成している前記基板６ａ及び６ｂの裏面間に雄雌スナップ８ａ及び８ｂを設けて前記写真保持台紙ユニット１ａ及び１ｂが着脱自在に構成されている。もっとも、他の方法、例えば、面ファスナー等により着脱自在に構成してもよい。
【００１８】
図中、９ａ及び９ｂは、前記写真保持台紙ユニット１ａ及び１ｂの前記基板６ａ及び６ｂ側のスナップに固着された舌片であり、前記写真保持台紙ユニット１ａ及び１ｂを、前記対向片３ａ及び３ｂから取り外す場合の摘み片となるものである。なお、前記それぞれの対向片３ａ及び３ｂに対する写真保持台紙ユニット１ａ及び１ｂの着脱構成は、前記雄雌スナップ８ａ及び８ｂに限られるものではない。
【００１９】
さらに、前記傾倒自在に構成されたそれぞれの対向片３ａ及び３ｂに、前記それぞれの箱形収納部２ａ及び２ｂを覆う蓋片１０ａ及び１０ｂが折曲げ自在に連結され、さらに前記両蓋片１０ａ及び１０ｂ間が、前記対向片３ａ（３ｂ）の二倍幅を有する連結片１１によって折曲げ自在に連結される。
【００２０】
図中、１２ａ及び１２ｂは、前記それぞれの蓋片１０ａ及び１０ｂの内側面に設けられたポケットであり、例えば、ネガフィルム１３の収納部とされる。また、図中、１４は題号、年月日等の表示部、Ｐは写真である。
【００２１】
【発明の効果】
前記本発明によれば、多数枚の写真を体裁良く保存することができ、閲覧、その他、取り扱いが容易であり、良好な写真保存状態を保つことができる。
【図面の簡単な説明】
【図１】本発明に係るアルバムの全体の展開状態を示す斜視図である。
【図２】写真保持台紙を取り外した状態を示す斜視図である。
【図３】片開きの状態を示す斜視図である。
【図４】完全折畳み状態を示す斜視図である。
【符号の説明】
１ａ，１ｂ　写真保持台紙ユニット
２ａ，２ｂ　箱形収納部
３ａ、３ｂ　対向片
９ａ，９ｂ　蓋片
１０　　　　連結片
【図１】
2004136601.tif 000003
【図２】
2004136601.tif 000004
【図３】
2004136601.tif 000005
【図４】
2004136601.tif 000006